(57)【要約】  要素（５０）は、少なくとも１つの植物を栽培するための容器に入れることを意図されており、植物が成長するのを可能にするように適合された培養基を含む実質的に固い物体（５２）と、少なくとも１つの種子受容領域（５３）内の物体上に配置されている植物の少なくとも１つの種子（５１）と、乾燥した鉱物粉末を備える、受容領域において種子を保持するための層と、を備える。保持層は、水中で浮遊する鉱物粉末を含む保持組成物（６０）の堆積物を乾燥させることによって得られる。
2020507334.tif 000002
【特許請求の範囲】
【請求項１】
少なくとも１つの植物を栽培するための容器（２０）内に配置されるように意図されている要素であって、当該要素は、
前記植物が成長するのを可能にするように適合された培養基を含む実質的に固い物体（５２）と、
少なくとも１つの種子受容領域（５３）において前記物体（５２）上に配置されている前記植物の少なくとも１つの種子（５１）と、
前記種子受容領域（５３）内に前記種子（５１）を保持するための保持層（６２）と、
を備え、
前記保持層（６２）は、種子を前記物体上に確実に固定するように構成された堆積物を形成する乾燥した鉱物粉末を備えることを特徴とする要素。
【請求項２】
前記保持層（６２）は、前記種子受容領域（５３）内の前記種子（５１）を覆って取り囲むことを特徴とする請求項１に記載の要素。
【請求項３】
前記種子受容領域（５３）は、前記物体（５２）内に形成され、前記要素（５０）の使用位置において上方に開いている陥凹したハウジングを備え、前記種子（５１）が、前記ハウジング（５３）の底部に配置されていることを特徴とする請求項１または２に記載の要素。
【請求項４】
前記保持層（６２）は、前記ハウジング（５３）の内面を少なくとも部分的に覆っていることを特徴とする請求項３に記載の要素。
【請求項５】
前記鉱物粉末は、例えばケイ酸塩を含み得る天然鉱物粉末であることを特徴とする請求項１から４のいずれか一項に記載の要素。
【請求項６】
前記鉱物粉末は、粘土、タルク、軽石を含む群から選択されることを特徴とする請求項１から５のいずれか一項に記載の要素。
【請求項７】
前記鉱物粉末は、５μｍ〜２００μｍ、好ましくは２０μｍ〜１００μｍ、より好ましくは３０μｍ〜６０μｍの粒径を有することを特徴とする請求項１から５のいずれか一項に記載の要素。
【請求項８】
少なくとも１つの植物を栽培するためのシステムであって、当該システムは、
底部（２）、周壁（３）、及び、上部開口部（４）を含むタンク（１）であって、前記タンク（１）は水を入れることを意図されているタンク（１）と、
前記タンク（１）の前記上部開口部（４）の高さに配置され、少なくとも１つの開口部（１１）を含むトレイ（１０）と、
少なくとも１つの光源（７）を支持する少なくとも１つのマスト（６）と、
請求項１から７のいずれか一項に記載の少なくとも１つの要素（５０）と、
底部（２２）と周壁（２３）とを備える少なくとも１つの容器（２０）であって、前記容器（２０）は、前記要素（５０）を受容し、かつ、前記タンク（１）内に配置されており、前記トレイ（１０）の開口部（１１）内に受容される、容器（２０）と、
を備えることを特徴とするシステム。
【請求項９】
少なくとも１つの植物を栽培するための容器（２０）内に配置されることを意図した要素（５０）を製造する方法であって、前記要素（５０）が、前記植物が成長するのを可能にするように適合された培養基を含む実質的に固い物体（５２）を備え、前記植物の少なくとも１つの種子（５１）が、種子受容領域（５３）において前記物体（５２）に配置され、当該方法は、前記種子受容領域（５３）内に前記種子（５１）を保持するために前記物体（５２）上に予め配置された前記種子（５１）上に保持組成物（６０）を堆積するステップを含み、当該方法は、水中で浮遊する鉱物紛末を含む保持組成物（６０）を堆積するステップを含むことを特徴とする製造方法。
【請求項１０】
前記保持組成物（６０）は、３０μｍ〜６０μｍの範囲、例えば４５μｍｎの粒径を有する、１５重量％〜２５重量％の範囲、例えば２０重量％の粘土を含むことを特徴とする請求項９に記載の製造方法。
【請求項１１】
前記種子（５１）上へのその堆積の前に前記保持組成物（６０）を混合するステップを含むことを特徴とする請求項９または１０に記載の製造方法。
【請求項１２】
前記保持組成物（６０）は、殺菌剤、発芽促進剤から選択される少なくとも１つの化合物をさらに含むことを特徴とする請求項９から１１のいずれか一項に記載の製造方法。
【請求項１３】
前記種子受容領域（５３）は、前記物体（５２）に形成され、前記要素（５０）の使用位置において上方に開放している陥凹したハウジングを備え、前記種子（５１）は、前記ハウジング（５３）の底部に配置されており、前記保持組成物（６０）は、前記ハウジング（５３）を実質的に満たすのに十分な量で堆積されることを特徴とする請求項９から１２のいずれか一項に記載の製造方法。
【発明の詳細な説明】
【技術分野】
【０００１】
本発明は、少なくとも１つの植物を栽培するための容器に入れることを意図した要素に関する。本発明はまた、このような要素を含む少なくとも１つの植物を栽培するためのシステム、及び、このような要素を作製するための方法に関する。
【背景技術】
【０００２】
簡単な方法で、一年中、家庭で果物、野菜、及び芳香性のハーブを栽培することを可能にする屋内野菜畑庭園の需要が高まっている。
【０００３】
従来、このような野菜畑庭園は、水を収容するタンクと、タンク内に配置され、毛管現象による水の上昇を可能にするように設計された容器と、を備える植物栽培システムである。各容器は、培養基を含む物体備える要素と、物体上に配置された少なくとも１つの種子と、を受容する。
【０００４】
これらの要素は、使用者が購入して使用してから自分の都合に合わせて交換する消耗品で構成される。種子が存在し続けるようにだけではなく、培養基上への種子の位置決めが変わらないままであるように、種子が移送及び保管中に物体上に好適に保持されることが不可欠である。実際、この位置決めは一般に、満足のいく種子の発芽を可能にするように予め決定されている。従って、受容領域内に種子を保持するための装置を提供することが既知である。
【０００５】
第１の既知の解決策は、種子を覆う蓋を提供することであり、蓋は要素の物体に固定される接着部分、及び、種子の反対側の非接着部分を有する。使用者は、要素を容器に配置する前に蓋を取り外さなくてはいけない。従って、この解決策では、使用者が追加の操作を実行する必要があり、無駄が発生する。
【０００６】
第２の既知の解決策によれば、種子は物体に形成された陥没したハウジング内に堆積され、ハウジングを充填することによって培養基が種子上に堆積される。ここでもまた、前述のように、接着蓋が設けられ得る。従って、上述したものと同じ欠点が生じる。
【０００７】
第３の既知の解決策は、水及び食品接着剤を含有する組成物の一滴を種子に付着させることからなる。種子はこのようにして物体に接着され、これによって確実に保持される。それにもかかわらず、この解決策はいくつかの問題を提起する。特に、それは大きなサイズの種子を十分に保持することを確実にせず、かつ、種子付近の湿気含有量の満足な管理を可能にしない。さらに、接着剤が小さなサイズの種子の任意の場合において接着剤が種子の保持を確かにするが、外部の攻撃に対する保護をほとんど提供できない。さらに、外部の食品接着剤の使用は、使用者を落胆させる可能性が高い不自然な外観を与える可能性がある。
【発明の概要】
【発明が解決しようとする課題】
【０００８】
本発明は、種子が満足のいく方法で保持され、かつ、前述の問題の全部または一部を解決する要素を提供することを目的とする。
【課題を解決するための手段】
【０００９】
この目的のために、そして第１の態様によれば、本発明は、少なくとも１つの植物を栽培するための容器に入れることを意図した要素に関し、この要素は、該植物が成長するのを可能にするように適合された培養基を含む実質的に固い物体と、少なくとも１つの種子受容領域内の物体上に配置された、植物の少なくとも１つの種子と、受容領域に種子を保持するための保持層であって、物体上の種子をしっかりと固定するように構成された堆積物を形成する乾燥鉱物粉末を備える保持層と、を備える。
【００１０】
「実質的に固い」という用語は、要素が規定された形状を有し、それがその通常の使用（輸送、栽培システムにおける設置）の間に扱われる際に、それがこの形状を維持することを意味する。これは、要素の局所的な変形、たとえば使用者の指の爪による欠けの生成を除外するものではない。もちろん、要素の意図された使用のためにかかる力よりも大きな努力の下で、要素の実質的な変形は依然として可能である。
【００１１】
さらに、種子が物体上に配置されているという事実は、種子が物体自体に押し込まれているのではなく、要素の物体の表面上に堆積されていることを意味することを特定する。これは、種子が物体の外側に開口する物体の腔内に配置されていることを排除するものではなく、その場合種子は目視可能であり、物体の外側からアクセス可能なままである。
【００１２】
本発明は、保持層が、乾燥鉱物粉末、すなわち、最初は水溶液中に湿っているかまたは分散している、乾燥した鉱物粉末を含むことを呈する。言い換えれば、例えば単純な空気乾燥によって、及び／または物体内への、典型的には培養基への吸水によって、水分除去が行われている。従って、すぐ使用可能な要素上では、保持層は乾燥している、すなわち実質的に液体を含浸していない。
【００１３】
乾燥鉱物粉末を含む保持層の存在は多くの利点を有する。
【００１４】
製造が簡単であることに加えて、この解決法は、種子が小さい種子であろうと大きい種子であろうと、物体内での種子の保持の高い信頼性、ならびに衝撃及び振動に対する著しい対抗性を確実にする。
【００１５】
本発明による解決法の有効性は、乾燥した鉱物粉末が種子を物体にしっかりと固定することを可能にするため輸送時に生じるが、貯蔵及び発芽の際にも生じる。確かに、鉱物粉末の使用は、食品接着剤の場合よりも速い乾燥を可能にし、これは種子の水分への露出時間を減少させる結果となる。その結果、種子は、後で種子の品質を低下させる可能性がある湿った環境に長期間留まらなかったため、貯蔵後の発芽率が高くなり、発芽プロセスを誘発する。さらに、要素の使用時に、鉱物粉末は植物の発育に不可欠な栄養素を供給する。
【００１６】
本発明の他の重要な利点は、このような栽培システムの使用者にとって一般的に重要な要素である、自然な外観を有する要素を提供することである。
【００１７】
可能な実施形態によれば、保持層は受容領域内の種子を覆いそして包囲する。食品接着剤の場合のように単純なフィルム堆積とは対照的に、種子を覆うという事実は、種子を外部の攻撃から保護することを可能にするが、要素の使用時には種子の周囲により有意な水分含有量をもたらす。
【００１８】
受容領域は、物体内に形成され、要素の使用位置において上方に開口した凹部ハウジングを備え、種子はハウジングの底部に配置され得る。この場合、保持層は、種子だけでなく、ハウジングの内面を少なくとも部分的に覆い得る。従って、種子の一層良好な保護が得られる。
【００１９】
鉱物粉末は天然鉱物粉末であり得る。それは例えばケイ酸塩を含み得る。
【００２０】
可能な実施形態によれば、鉱物粉末は、粘土、タルク、軽石を含む群から選択される。
【００２１】
鉱物粉末は、５μｍ〜２００μｍ、好ましくは２０μｍ〜１００μｍ、より好ましくは３０μ〜６０μｍの範囲、例えば４５μｍの粒径を有し得る。
【００２２】
さらに、保持層は、殺菌剤、発芽促進剤から選択される少なくとも１つの化合物を含み得る。
【００２３】
第２の態様によれば、本発明は、少なくとも１つの植物を栽培するためのシステムに関し、システムは、底部、周壁及び上部開口部を含み、水を入れることを意図されるタンクと、少なくとも１つの開口部を含む、タンクの上部開口部の高さに配置されたトレと、少なくとも１つの光源を支持する少なくとも１つのマストと、前述の少なくとも１つの要素と、底部と周壁とを含む少なくとも１つの容器であって、要素を受容し、タンク内に配置されてトレイの開口部に受容される容器と、を備える。
【００２４】
第３の態様によれば、本発明は、少なくとも１つの植物を栽培するための容器に入れることを意図した要素の製造方法に関し、要素は、植物が成長するのを可能にするように適合された培養基を含む実質的に固いの物体と、種子受容領域において物体上に配置される植物の少なくとも１つの種子と、を備え、方法は、受容領域に種子を保持するために、予め物体上に配置された種子上に保持組成物を堆積させるステップを含む。本発明によれば、方法は、水中で浮遊する鉱物粉末を含む保持組成物を堆積するステップを含む。
【００２５】
具体的には、物体に含まれているかまたは物体を形成している培養基は、液体を素早く吸収し、物体の表面に粘土の堆積物（及び可能な添加物）を残し、この堆積物は、種子を覆いそして取り囲む。次いで、培養基を乾燥させることによって、粘土層を脱水し、種子を所望の位置にしっかりと保持することが可能になる。実際には、最終調整の前に、約１２時間の乾燥段階の間、要素を標準的な室内環境（通常の湿度及び温度）に保つことによって自然乾燥を進めることが可能である。
【００２６】
既に明らかにされているように、すぐに使用できる要素で得られる利点に加えて、本発明による方法はまた、特に非常に単純な実施形態という利点を有する。さらに、本発明による方法は、種子に応じて組成物、特に種子の大きさに応じた鉱物粉末の量、及び／または所望の特性（発芽時間、病気、真菌などに対する防御力）に応じて可能な添加剤に応じて組成を容易に適合させる。
【００２７】
鉱物粉末は、例えばケイ酸塩を含み得る天然鉱物粉末からなり得る。鉱物粉末は、粘土、タルク、軽石を含む群から選択され得る。
【００２８】
可能な実施形態によれば、保持組成物は、１５重量％〜２５重量％、例えば２０重量％、の範囲の鉱物粉末を含む。この鉱物粉末は、５μｍ〜２００μｍ、好ましくは２０μｍ〜１００μｍ、より好ましくは３０μｍ〜６０μｍ、例えば４５μｍ、の範囲の粒径を有していてもよい。それは特に４５μｍに近い粒径を有する粘土粉末から成り得る。
【００２９】
この方法は、種子上へのその堆積前に保持組成物を混合するステップを含み得る。鉱物粉末が堆積または混合されるのを防ぎ、保持組成物を均質化することを目的とするこのような混合は、種子上に保持組成物を堆積させる直前に行うのが好ましい。
【００３０】
保持組成物の堆積は、ポンプシステムによって行われ得る。あるいは、例えばピペットを用いて手動で行われ得る。
【００３１】
さらに、保持組成物は、殺菌剤、発芽促進剤から選択される少なくとも１つの化合物を含み得る。
【００３２】
受容領域が物体内に形成され、要素の使用位置において上方に開放された凹形ハウジングを含み、種子がハウジングの底部に配置されている場合、本方法は、ハウジングを実質的に満たすのに十分な量の保持組成物の堆積を含み得る。
【００３３】
添付する図面を参照しながら、非限定的な例として、本発明の可能な実施形態を説明する。
【図面の簡単な説明】
【００３４】
【図１】本発明による少なくとも１つの植物を栽培するためのシステムの分解斜視図である。
【図２】システムの容器に配置される準備ができている、本発明による要素の斜視図である。
【図３】種子の堆積を説明する要素及びその要素上に種子を保持するための組成物の概略図である。
【図４】保持組成物を要素上に堆積するための方法のステップを概略的に示す図である。
【図５】本発明による方法の可能な実施形態の概略図である。
【発明を実施するための形態】
【００３５】
図１は、少なくとも１つの植物を栽培するためのシステム１００を表し、それは特に屋内で栽培することを可能にするように適合されている。
【００３６】
システム１００は、ほぼ平坦な底部２、周壁３、及び上部開口部４を含むタンク１を備える。タンク１は、例えば、実質的に平行六面体である。従って、水または他の適切な液体を収容することを目的とした密閉された収容空間がタンク１の内部に画定され、植物の栽培を可能にする。
【００３７】
タンク１がテーブルまたは作業平面などの支持体上に置かれたときに底部２に直交する垂直方向Ｚが定義される。タンク１の長辺に平行な水平方向Ｘ、及びタンク１の短辺に平行な水平方向Ｙも定義される。以下の説明では、異なる部品または構成要素がそれらが走査中に占める位置において説明される。
【００３８】
支持体５は、タンク１の底部２からＺに沿って上方に突出している。１つまたは複数のマスト６（図示の例では２つのマスト）が支持体５の上または中に取り付けられている。各マスト６は、植物の成長に必要な複数の光源７、例えば、発光ダイオード（ＬＥＤ）を担持する。
【００３９】
システム１００はさらに、タンクの上部開口部４の高さに配置されたトレイ１０を備える。トレイ１０は、例えばタンク１の周壁３の上縁部９に取り外し可能に固定され得る。
【００４０】
トレイ１０は、植物を収容する容器２０を受容するための少なくとも１つの開口部１１を備え、開口部１１は、容器２０の形状と相補的な形状を有することが好ましい。実施例では、トレイ１０は４つの開口部１１を備える。すなわち、開口部１１は実質的に長方形であり、長辺はＹと平行に配向されているが、これは限定的ではない。トレイ１０はさらに、マスト６を通過させるための孔１２と、トレイ１０を取り外す必要なく使用者がタンク１の底部に水を注ぐことを可能にする孔１３と、を備える。
【００４１】
容器２０は、トレイ１０の各開口部１１内のタンク１内に配置されるように意図されている。容器２０は、例えば成形によってプラスチック材料で作られ得る。容器２０は、底部２２と周壁２３とを備え、上部開口部２４を有する。この場合、容器２０は実質的に平行六面体であるが、これに限定されない。
【００４２】
容器２０には、底部２２から下方に延在する脚部２７を備えられ得、タンク１の底部２を支え、タンク１の底部２から離れるように保持することができる。取付位置において、容器２０はトレイ１０と実質的に面一なるようにされ得る。
【００４３】
さらに、容器２０は、底部２２から脚部２７の高さ以下の高さに亘って実質的に垂直に下方に延在し、底部２２内に開口する管３１を備える。管３１には、芯などの毛細管現象の液体移送部材が配置されている。この部材が、部材の下方部分においてタンク１内に存在する水と接触するように、部材は管３１の下端を越えて延在し、かつ／または、管３１は、管３１の下方部分に、水が部材に届くようそこを通ることができるオリフィス３４を含むことが可能である。
【００４４】
さらに、システム１００は、図２に概略的に示されるように、容器２０内に配置されることを意図された少なくとも１つの要素５０を備える。即使用可能な詰め替え品を構成する要素５０は、それが容器２０に挿入されることを可能にする寸法の実質的に固い物体５２を含む。従って、要素５０は一般に、平行六面体形状を有し得る。例として、その寸法は以下の通りであり得る：ｄｘ＝１４０ｍｍ、ｄｙ＝４０ｍｍ、ｄ＝８０ｍｍ。
【００４５】
物体５２は、植物が成長するのを可能にするように適合された培養基を含む。培養基は、例えば、ココナッツ繊維、竹繊維、ココナッツ粉末などの繊維及び／または粉末の形態の１つまたは複数のセルロース系材料を含み得る。また、物体５２は肥料を含み得る。
【００４６】
要素５０は、少なくとも１つの種子５１、実際にはいくつかの種子５１をさらに含む（図３参照）。種子５１は、少なくとも１つの種子受容領域において物体５２上に配置されている。例えば、図２及び図３に示すように、受容領域は、物体５２に形成され、要素５０の使用位置において上方に開いている窪んだハウジング５３を備える。種子５１は、次いで、特に図４ａに示すように、ハウジング５３の底部に配置される。例として示されている実施形態では、要素５０の物体５１は、Ｙ方向に整列し、規則的に離間している５つのハウジング５３を含むが、これは限定的ではない。
【００４７】
効率的な発芽及び成長を確実にするために予め決められた位置で、要素５０の物体５２上に種子５１を確実に保持するために、種子受容領域５１内に種子を保持するための層を形成することが意図される。
【００４８】
次に、種子受容領域がハウジング５３によって形成されている場合について説明する。
【００４９】
図３及び図４ａに示すように、１つまたは複数の種子５１が各ハウジング５３の底部に配置される。次に、保持組成物６０が種子５１の上に堆積される。
【００５０】
本発明によれば、保持組成物６０は水中で浮遊する鉱物粉末を含む。
【００５１】
例えば、この鉱物粉末は、好ましくは比較的細かい、３０μｍ〜６０μｍの粒径、例えば４５μｍ、の範囲を有する粘土から成り得る。保持組成物６０は、１５重量％〜２５重量％、例えば２０重量％、の範囲の粘土を含み得る。他の鉱物粉末、例えばタルクまたは軽石が使用され得る。これらの選択は、それらが食品接着剤とは対照的に天然の解決策を提供するという点で有利である。
【００５２】
保持組成物６０は、殺菌剤及び／または発芽促進剤をさらに含み得る。
【００５３】
保持組成物６０は、種子５１の十分な保持を可能にするために適切な量で堆積される。具体的には、例えば図４ｂに示すように、ハウジング５３を実質的に満たすように、保持組成物６０の１つまたは複数の滴６１が堆積され得る。
【００５４】
堆積は手動で行われ得る。あるいは、図５に示されるように、ポンプ４０及びホース４１を用いて、機械的、電気的及び／または液圧システムを介して行われ得る。
【００５５】
種子５１の上に堆積されることになる保持組成物６０の適切な均一性を確実にするために、この保持組成物６０はその堆積前に連続的に混合され、これによって粘土粉末が浮遊する状態に保つ。使用済み粘土は非常に微細な粉末の形態であるため、均質な液体を得ることは特に容易である。図５では、例として、ポンプ４０によって吸引されるように意図された保持組成物６０は、磁気撹拌システム４３上の容器４２内に配置される。それでもなお、他の解決法（機械的混合など）が可能である。
【００５６】
ハウジング５３内に堆積された保持組成物６０に含まれる水は、次いで物体５２によって、典型的には培養基によって吸収され、また、図４ｃ、次に図４ｄに示すように部分的に蒸発し得る。
【００５７】
試験は、鉱物粉末が非常に湿ったままである期間が約１分であることを示した（これは培養基による水の吸収時間と一致する）。この時間は、水分の期間が１０分近くになり得る食品接着剤を付着させることからなる解決法と比較して、比較的短い。従って、本発明による方法は、要素５０の使用前に種子が湿気にさらされることが少なくなるので、変質せず、保存後に発芽能力が向上するため、より有利である。それから蒸発乾燥段階になる。
【００５８】
次に、図４ｄに示すように、鉱物粉末、ここでは、乾燥粘土が、物体５２の表面に堆積され保持層６２を形成する。このように乾燥鉱物粉末を含む保持層６２は、ここではハウジング５３によって形成された受容領域内の種子５１を覆い、取り囲む。また、保持層６２は、ハウジング５３の内面５４を少なくとも部分的に覆い得る。
【００５９】
図４ｂと図４ｄとを比較することによって示されるように、保持層６２は、ハウジング５３内に堆積された保持組成物滴よりもずっと小さい体積を有する。例として、保持層６２の厚さは、保持組成物６０中の粘土濃度、及び堆積した保持組成物６０の量に応じて、０．２ｍｍ〜２ｍｍになり得る。
【００６０】
保持層６２のおかげで物体５０上にしっかりと固定された種子５１を含む、このようにして作られた要素５０は、消費者による使用まで、種子５１の危険なしに輸送されそして貯蔵され得る。
【００６１】
具体的には、使用者は、容器２０内に要素５０を配置するだけでよい。毛管現象によって、培養基は再水和し、水分を保持層６２及び種子５１にもたらす。特に、従来技術の解決法と比べて、特に食品接着剤を使用する場合、鉱物粉末を使用すると、操作中に種子５１のためのより湿った環境を形成することが可能になるので有利であり、これは種子の発育を促す。
【００６２】
本発明の他の重要な利点は、物体５０への適切な保持と満足のいく保護を確実にするために、保持組成物６０を異なる種類の種子５１に容易に適合させることができるという事実にある。
【００６３】
従って、一方では、保持組成物６０を種子５１のサイズに適合させることができる。実際、容易に固定することができる、概して球形またはほぼ丸い形状を有する小型の種子がるが、トマトやコショウの種（非常に平らな円板状）やチャイブの種（縞模様の半月状）のようなより大きな種子、及び、コートされた種子もあり、これらは、重く、２ｍｍ〜５ｍｍの範囲の直径を有する概して球体である。これらのより大きな種子は、従来技術の解決法では物体に保持するのが非常に難しい。対照的に、本発明は、乾燥鉱物粉末の使用のおかげで、これらの種子を効果的に保持することを可能にする。さらに、保持組成物中の鉱物粉末の濃度を増加させる（例えば、最大約３０％まで）ことによって、より厚い乾燥粉末堆積が得られ、このより厚い保持層は大きな種子のより良好な保持を可能にする。
【００６４】
他方、保持組成物６０は、特に発芽時間を改善し、病気または真菌などから保護するように選択された添加剤の存在によって、種子の性質、培養基及び／または環境条件に適合させることができる。
【００６５】
従って、本発明は、種子の損失または変質の危険性なしに輸送、貯蔵及び使用することができる要素を提供することにより先行技術に決定的な改良をもたらす。
【００６６】
当然のことながら、本発明は、例として上述した実施形態に限定されず、説明した手段の全ての技術的均等物及び変形物、ならびにそれらの組み合わせを含む。
【符号の説明】
【００６７】
１  タンク
２  底部
３  周壁
４  上部開口部
５  支持体
６  マスト
７  光源
９  上縁部
１０  トレイ
１１  開口部
１２  孔
１３  孔
２０  容器
２２  底部
２３  周壁
２４  上部開口部
２７  脚部
３１  管
３４  オリフィス
４０  ポンプ
４１  ホース
４２  容器
４３  磁気撹拌システム
５０  要素
５１  種子
５２  物体
５３  ハウジング、種子受容領域
５４  内面
６０  保持組成物
６１  滴
６２  保持層
１００  システム
【図１】
2020507334.tif 000003
【図２】
2020507334.tif 000004
【図３】
2020507334.tif 000005
【図４ａ】
2020507334.tif 000006
【図４ｂ】
2020507334.tif 000007
【図４ｃ】
2020507334.tif 000008
【図４ｄ】
2020507334.tif 000009
【図５】
2020507334.tif 000010
【国際調査報告】
2020507334.tif 000011
2020507334.tif 000012
2020507334.tif 000013
2020507334.tif 000014
2020507334.tif 000015
2020507334.tif 000016